(57)【要約】      （修正有）【課題】片手でも安定してコンピュータを支持することができることができるコンピュータ用ケースを提供する。【解決手段】コンピュータ用ケースは、コンピュータの側面を覆う支持面２を備え、この支持面２の略中心Ｐ０には、第一穴部１０が形成され、第一穴部１０の周囲には複数の第二穴部２０が形成されている。第二穴部２０は、支持面２の中心Ｐ０を通り短辺２Ｂに平行な第一軸Ｘと、支持面２の中心Ｐ０を通り長辺２Ａに平行な第二軸Ｙと、によって区画された支持面の第一領域Ｓ１から第四領域Ｓ４にそれぞれ配置されている。【選択図】図２
0003169140.tif 000002
【実用新案登録請求の範囲】
【請求項１】
略板状のコンピュータであって、その表面に表示部が配置されたコンピュータを収容するコンピュータ用ケースにおいて、
前記コンピュータの側面に沿って配置された外周面と、前記コンピュータの裏面に沿って配置された支持面と、を備えており、
前記支持面は、一組の長辺と、該長辺よりも短い一組の短辺と、を有しており、
前記支持面には、該支持面の略中心に配置された第一穴部と、該第一穴部の周囲に配置された複数の第二穴部と、が形成されており、
前記第二穴部は、前記支持面の中心を通り、かつ前記短辺と平行な第一軸と、該支持面の中心を通り、かつ前記長辺と平行な第二軸と、によって該支持面を区画した第一領域から第四領域のそれぞれに形成されている、コンピュータ用ケース。
【請求項２】
前記複数の第二穴部は、同一の略円周上に配置されており、
前記第二穴部が配置される前記円周の中心は、前記支持面の中心と略一致する、請求項１に記載のコンピュータ用ケース。
【請求項３】
前記第一穴部は、ユーザの掌の一部が挿入されるように構成され、
前記第二穴部は、ユーザの指の一部が挿入されるように構成されている請求項１又は請求項２に記載のコンピュータ用ケース。
【請求項４】
前記第二穴部は、前記第一領域から前記第四領域の各領域において、前記第一軸及び前記第二軸と重ならない位置で一定の間隔をあけて複数形成されている、請求項１から請求項３のいずれかに記載のコンピュータ用ケース。
【請求項５】
前記第一穴部及び第二穴部は、円形の穴部であって、
前記第一穴部の直径は、前記第二穴部の直径よりも大きい、請求項１から請求項４のいずれかに記載のコンピュータ用ケース。
【請求項６】
前記第二穴部は、楕円形であって、
前記第二穴部の長軸は、前記第一穴部の中心を通り、かつ第一穴部の半径方向に延びる線と重なるように構成されている、請求項１から請求項４のいずれかに記載のコンピュータ用ケース。
【考案の詳細な説明】
【技術分野】
【０００１】
本考案は、持ち運び可能なコンピュータを収容するコンピュータ用ケースに関し、特に板状のタブレット型コンピュータを収容するコンピュータ用ケースに関する。
【背景技術】
【０００２】
近年、タブレット型コンピュータ等のように持ち運び可能なコンピュータが普及しており、持ち運び時においてコンピュータを衝撃から保護するためのコンピュータ用ケースが提供されている（例えば、非特許文献１及び非特許文献２参照）。例えば、非特許文献１及び非特許文献２に記載のコンピュータ用ケースは、表面に表示部が設けられたコンピュータを収容するケースであり、表示部が配置された表面以外の側面及び背面を覆うに構成されている。
【０００３】
例えば、非特許文献１のコンピュータ用ケースの背面には、コンピュータに付されたロゴをケース外から視認させるための穴部が形成されている。また、非特許文献２のコンピュータ用ケースの背面には、収容したコンピュータの左右両側部を把持するための穴部が形成されている。
【先行技術文献】
【非特許文献】
【０００４】
【非特許文献１】「ｉＰａｄ（登録商標）シリコンケースカバー」、［２０１０年９月５日検索］、＜URL:http://ipadcases.jp/?pid=20800867＞
【非特許文献２】「ｉＰａｄ（登録商標）シリコンケースカバー」、［２０１０年９月５日検索］、＜URL:http://ipadcases.jp/?pid=21511065＞
【考案の概要】
【考案が解決しようとする課題】
【０００５】
ところで、近年、タブレット型コンピュータ等において、タッチパネルを表面に設けたものがある。例えば、このようなタッチパネルを有するコンピュータを外出先で操作する際には、一方の手でコンピュータを支持し、他方の手でタッチパネルを押圧して操作を行う。
【０００６】
しかし、非特許文献１のコンピュータ用ケースは、コンピュータの左右両側部を把持するように構成されており、コンピュータを片手で支持した際にコンピュータの左側部又は右側部を把持することになるため、片手で支持した際の安定性を十分に確保できないおそれがあった。
【０００７】
また、非特許文献１のコンピュータ用ケースは、コンピュータ用ケースを手に載置して、背面に形成された穴部に手の一部を挿入してコンピュータの背面を支持することができるが、穴部が背面の中心の一箇所のみであるため、コンピュータを片手で安定して支持することができなかった。
【０００８】
本考案は、上記の事情に鑑みて為されたもので、片手でも安定してコンピュータを支持できるコンピュータ用ケースを提供することを例示的課題とする。
【課題を解決するための手段】
【０００９】
上記の課題を解決するために、本考案の例示的側面としてのコンピュータ用ケースは、略板状のコンピュータであって、その表面に表示部が配置されたコンピュータを収容するコンピュータ用ケースであって、コンピュータの側面に沿って配置された外周面と、コンピュータの裏面に沿って配置された支持面と、を備えており、支持面は、一組の長辺と、長辺よりも短い一組の短辺と、を有しており、支持面には、支持面の略中心に配置された第一穴部と、第一穴部の周囲に配置された複数の第二穴部と、が形成されており、第二穴部は、支持面の中心を通り、かつ短辺と平行な第一軸と、支持面の中心を通り、かつ長辺と平行な第二軸と、によって支持面を区画した第一領域から第四領域のそれぞれに形成されている。
【００１０】
本考案に係るコンピュータ用ケースは、コンピュータの裏面に沿って配置された支持面を備えており、この支持面には、第一穴部と複数の第二穴部とが形成されている。第一穴部は、支持面の中心に配置されており、第二穴部は、第一穴部の周囲に複数配置されている。
【００１１】
また、第二穴部は、第一軸と第二軸とによって区画された支持面の第一領域から第四領域のそれぞれに形成されている。具体的には、例えば、支持面の長辺を上下方向に沿うように配置し、かつ短辺を左右方向に沿うように配置した場合において、上下方向に沿った分割線と左右方向に沿った分割線とによって支持面を四等分に分割した各領域に第二穴部が形成されている。
【００１２】
このように第一穴部と、第一穴部の周囲に配置された第二穴部と、を設けることにより、コンピュータの中心（第一穴部に対応する部分）と、中心と離間したいずれかの点（第二穴部の部分）と、において、コンピュータを支持することができる。コンピュータの裏面の中心を支持することにより、支持した際の安定性を高めることができる。また、コンピュータの裏面の中心のみならず、中心と離間した複数の点においてコンピュータを支えることができるため、片手でコンピュータを支持した際の安定性を高めることができる。例えば、第一穴部に対応する位置に掌の一部を配置し、隣接する領域の第二穴部に対応する位置にそれぞれ指を配置することにより、離間した少なくとも三点以上の支持点によってコンピュータを支持することができる。
【００１３】
更に、支持面を四分割した第一領域から第四領域のそれぞれの領域に第二穴部が形成されているため、コンピュータの中心に第一穴部が配置され、その四方向に第二穴部が配置される。したがって、コンピュータを縦長に配置して支持した場合であっても、横長に支持した場合であっても、また左右いずれの手で支持した場合であっても、コンピュータの中心と、この中心と離間した点とを支持して、安定した状態で支持することが可能となる。
【００１４】
具体的には、例えば、コンピュータを片手で支持する際は、第一穴部に対応する箇所を掌の一部で支持し、第一穴部よりもユーザから離間して配置された第二穴部に対応する箇所を指等で支持する。
【００１５】
このとき、右手で支持する場合と左手で支持する場合とでは、第一穴部に対応する位置に掌を配置した状態における指等の位置が異なる。更に、縦向きのコンピュータを支持する場合と横向きのコンピュータを支持する場合とでは、指等の位置が異なる。しかし、支持面の第一領域から第四領域のいずれにも第二穴部が形成されているため、コンピュータを支持する手やコンピュータの向きを問わず、掌の一部を第一穴部に対応する位置に配置した際に第二穴部に対応する位置に適宜指を配置することができ、いずれの態様においても安定してコンピュータを支持することが可能となる。
【００１６】
更に、コンピュータ用ケースに第一穴部及び第二穴部が形成されていることにより、コンピュータ用ケースからコンピュータを取り出す際に、第一穴部等から指を挿入してコンピュータを引き出すことができるため、容易に取り出すことが可能となる。
【００１７】
なお、第一穴部は、支持面の略中心に配置されていればよく、第一穴部の中心と支持面の中心とが一致するように配置されていてもよい。また、例えば、コンピュータの重心が裏面の中心とずれている場合にあっては、コンピュータの重心と、第一穴部の中心と、が鉛直方向において一致するように配置してもよい。
【００１８】
更に、第二穴部は、第一領域から第四領域のいずれの領域にも配置されていればよく、その数は限定されない。各領域における第二穴部の数は、同数であってもよいし、領域毎に異なるように構成してもよい。また、第二穴部は、第一穴部との距離が全ての第二穴部において一定になるように配置されていてもよいし、一部の第二穴部において異なるように配置されていてもよい。
【００１９】
また、第一穴部及び第二穴部の形状は、円形であってもよいし、長方形であってもよいし、三角形であってもよく、その形状は限定されてない。しかし、ユーザが、第一穴部及び第二穴部に指等を挿入して、コンピュータを支持するため、穴部の形状は曲線形状が望ましい。
【００２０】
また、本考案に係るコンピュータ用ケースは、複数の第二穴部は、同一の略円周上に配置されており、第二穴部が配置される円周の中心は、支持面の中心と略一致するように構成してもよい。このような構成によれば、いずれの第二穴部においても第一穴部との距離を略一定にすることができる。支持点（第一穴部及び第二穴部）間の距離が一定であるため、いずれの態様であっても安定してコンピュータを支持することができる。
【００２１】
なお、複数の第二穴部は、略同一円周上に配置されていればよく、一部の第二穴部が他の第二穴部が配置される円周とずれて配置されていてもよい。また、複数の第二穴部は、少なくてもその一部が同一円周上に配置されていればよく、例えば、第二穴部の中心が同一円周上に配置されるように構成してもよい。
【００２２】
本考案に係るコンピュータ用ケースは、第一穴部は、ユーザの掌の一部が挿入されるように構成され、第二穴部は、ユーザの指の一部が挿入されるように構成されていてもよい。このように、第一穴部にユーザの掌の一部を挿入し、第二穴部にユーザの指の一部を挿入することにより、掌及び指を第一穴部及び第二穴部に引っかけたり、掌及び指をコンピュータの裏面に密着させたりして、略板状のコンピュータを安定した状態で支持することができる。
【００２３】
本考案に係るコンピュータ用ケースは、第二穴部が、第一領域から第四領域の各領域において、第一軸及び第二軸と重ならない位置で一定の間隔をあけて複数形成されていてもよい。
【００２４】
コンピュータを片手で支持する場合は、例えば、掌を広げてコンピュータを掌に載置する。このとき、顔の前方にコンピュータを配置しようとすると、腕が斜めから延びるため、手は斜めに配置される。また、自然に手を広げた状態における指同士の間隔は、親指と人差し指が最も大きくなる。このような観点から第一穴部に掌の一部を配置し、第二穴部に親指と、それ以外のいずれかの指（例えば、人差し指）を配置すると、親指とそれ以外の指とは、隣接する領域の第二穴部に配置される。また、手が斜めになっているため、第一軸に重なる部分と第二軸に重なる部分は、親指と人差し指との間となって指が配置されない。すなわち、このような配置によれば、掌と指とによってコンピュータを支持する際に、少なくとも親指とそれ以外のいずれかの指とを第二穴部に挿入し、かつ第一穴部に掌の一部を挿入して、コンピュータを支持することができる。
【００２５】
また、指が配置され難い第一軸と重なる位置及び第二軸と重なる位置に第二穴部を形成しないことにより、第二穴部を形成することによるコンピュータ用ケースの強度低下を抑制することができる。
【００２６】
また、本考案に係るコンピュータ用ケースは、第一穴部及び第二穴部は、円形の穴部であって、第一穴部の直径は、第二穴部の直径よりも大きく構成されていてもよい。第一穴部の直径が第二穴部の直径よりも大きいことにより、コンピュータの裏面の中心を安定して支持することが可能となる。また、第二穴部の直径は、第一穴部の直径よりも小さいため、第二穴部を複数形成することによる強度低下を防ぐことができ、必要な強度を確保し易くすることができる。
【００２７】
本考案に係るコンピュータ用ケースは、第二穴部が、楕円形であって、第二穴部の長軸は、第一穴部の中心を通り、かつ第一穴部の半径方向に延びる線と重なるように構成されていてもよい。第二穴部を、第一穴部の中心から径方向に延びる楕円形状にすることにより、第二穴部における第一穴部からの距離の範囲が広がるため、子供等比較的小さい手のユーザや、成人男性等比較的大きい手のユーザであっても、適切に指を第二穴部に配置することができる。また、第一穴部に対応する支持点（ユーザがコンピュータを支持する点）と、第二穴部に対応する支持点と、の距離を適宜変更できるため、支持点間の距離を適宜変更し、ユーザの持ちやすい態様でコンピュータを支持することが可能となる。
【考案の効果】
【００２８】
本考案に係るコンピュータ用ケースによれば、片方の手であっても安定した状態でコンピュータを支持することができる。更に、左右いずれの手であっても、コンピュータの向きが横向きであっても、コンピュータの向きが縦向きであっても、安定した状態でコンピュータを支持することができる。
【考案を実施するための最良の形態】
【００２９】
＜実施の形態１＞
次に、本考案に係るコンピュータ用ケースの実施の形態１について、図面を参照しながら説明する。図１は、コンピュータ用ケースの斜視図であり、図２は、背面図である。コンピュータ用ケース１は、コンピュータ（図示せず）を収容するように構成されている。コンピュータは、表面に配置された表示部とタッチパネル式の操作部とを備えており、ユーザが表面の操作部に接触することにより、操作可能に構成されている。
【００３０】
コンピュータ用ケース１は、コンピュータの裏面を覆う支持面２、上下側面を覆う上面部３及び下面部４、左右側面を覆う左面部５及び右面部６を備える。上面部３、下面部４、左面部５及び右面部６は、コンピュータの側面を覆う外周面であり、コンピュータにコネクタ等を挿入するための開口部３０が形成されている。この開口部３０を備えることにより、コンピュータ用ケース１にコンピュータを収容した状態で、コンピュータにアダプタ等の電子部品を接続することができる。
【００３１】
支持面２は、図２において上下方向に沿って配置された長辺２Ａと、左右方向に沿って配置された短辺２Ｂと、を有する。支持面２は、互いに平行に配置された一組の長辺２Ａと、互いに平行に配置された一組の短辺２Ｂと、によって囲われた領域である。支持面２の中心は、長辺２Ａを二等分割する点Ｐ１を通り、かつ短辺２Ｂと平行に配置された第一軸としてのＸ軸と、短辺２Ｂを二等分割する点Ｐ２を通り、かつ長辺２Ａと平行に配置された第二軸としてのＹ軸と、が交わる原点Ｐ０である。
【００３２】
支持面２には、第一穴部１０と、第一穴部１０の周囲に配置された複数の第二穴部２０と、が形成されている。各穴部は、支持面２を貫通した開口である。第一穴部１０は、円形の穴部であり、その中心１０ａは支持面の中心となる原点Ｐ０である。第二穴部２０の直径Ｄ２は、第一穴部１０の直径Ｄ１よりも小さい。第二穴部２０の中心２０ａは、原点Ｐ０を中心とした円Ｃ１の円周上に配置されている。したがって、第一穴部１０と第二穴部２０との距離は、一定である。
【００３３】
第二穴部２０は、支持面２をＸ軸とＹ軸とによって区画した第一領域Ｓ１から第四領域Ｓ４のいずれにも配置されている。説明の便宜上、図２において左上部に位置する領域を第一領域Ｓ１、右上部に位置する領域を第二領域Ｓ２、右下部に位置する領域を第三領域Ｓ３、及び左下部に位置する領域を第四領域Ｓ４とする。
【００３４】
第二穴部２０は、各領域に３つずつ形成されている。各領域において、隣接する第二穴部２０の中心２０ａと原点Ｐ０に対して為す角度θ１は一定である。また、Ｘ軸又はＹ軸に隣接する第二穴部２０の中心２０ａと原点Ｐ０とを結んだ線と、隣接するＸ軸又はＹ軸と、が為す角度θ２は、一定である。また、角度θ１と角度θ２とは同じ角度である。なお、本実施の形態では、角度θ１と角度θ２とは、同じであるが、異なるように構成してもよい。
【００３５】
本実施の形態１では、第一穴部１０の直径Ｄ１を６０ｍｍとしている。第一穴部１０は、コンピュータを支持する際の中心となる部分であり、コンピュータの重心を支えるための接触面積が必要である。また、第一穴部１０は、コンピュータの中心を支えるため、掌や手の付け根等、比較的面積が広い部分が挿入されることが想定される。したがって、掌の半分程度の直径が好ましいと考えられる。具体的には、掌の平均長さは約１００ｍｍであり、第一穴部１０の直径Ｄ１は、その半分となる５０〜６０ｍｍが望ましい。
【００３６】
また、本実施の形態では、第二穴部２０の直径Ｄ２を１６ｍｍとしている。第二穴部２０は、指が挿入されると考えられるため、指幅を有することが望ましい。したがって、５本の指のうち、比較的指幅が広い第二指（人差し指）を基準として、第二穴部２０の直径Ｄ２を算出している。具体的には、第二指の遠位関節幅（第一関節の横幅）が１３〜１７ｍｍであり、第二穴部２０の直径は、指を確実に挿入できる幅が必要であるため、１５ｍｍ〜２０ｍｍが望ましい。
【００３７】
本実施の形態１では、第二穴部２０の中心が配置される円Ｃ１の直径Ｄ３を１４０ｍｍとしている。これは、掌の長さと第二指長との合計長さから第二穴部２０の直径を除いた長さである。掌長と第二指長との合計平均長さが１６９ｍｍ〜１８５ｍｍであり、第二穴部の直径が１６ｍｍである。したがって、１６９−１６＝１５３ｍｍとなり、望ましくは１４０〜１６０ｍｍである。
【００３８】
また、本実施の形態１では、コンピュータ用ケースの厚みＴは、全体に亘って均一であり、２ｍｍである。なお、コンピュータ用ケースの厚みは、これに限定されず、適宜設定することができる。また、コンピュータ用ケースの材質は、ブチルゴム等を用いることができるが、これに限られない。例えば、コンピュータ用ケースの厚みを厚くしたり、ケースを構成する材質の弾性率を高めたりすることにより、コンピュータの耐衝撃性を高めることができる。
【００３９】
次いで、このように構成されたコンピュータ用ケース１の使用態様について説明する。図３は、コンピュータ用ケース１を片手で支持した状態を模式的に示した図である。なお、図３においては、コンピュータ用ケースを正面から視認した状態であり、説明の便宜上、内部に収容されるコンピュータを省略している。
【００４０】
図３（ａ）は、左手で横向きのコンピュータを支持した状態である。第一穴部１０に対応して掌の一部が配置されている。また、第一領域Ｓ１の第二穴部２０に対応する位置に人差し指、中指、薬指が配置されており、第四領域Ｓ４の第二穴部２０に対応する位置に親指が配置されている。したがって、支持面２の原点Ｐ０近傍と、第一領域Ｓ１及び第四領域Ｓ４の一部と、を支持して、少なくとも三点以上で支持することができるため、支持した際の安定性を高めることができる。
【００４１】
図３（ｂ）は、右手で横向きのコンピュータを支持した状態である。第一穴部１０に対応して掌の一部が配置されている。また、第四領域Ｓ４の第二穴部２０に対応する位置に人差し指、中指、薬指が配置されており、第一領域Ｓ１の第二穴部２０に対応する位置に親指が配置されている。したがって、支持面２の原点Ｐ０近傍と、第一領域Ｓ１及び第四領域Ｓ４の一部と、を支持して、コンピュータを安定して支持することができる。
【００４２】
図３（ｃ）は、左手で縦向きのコンピュータを支持した状態である。第一穴部１０に対応して掌の一部が配置されている。また、第二領域Ｓ２の第二穴部２０に対応する位置に人差し指、中指、薬指が配置されており、第一領域Ｓ１の第二穴部２０に対応する位置に親指が配置されている。したがって、支持面２の原点Ｐ０近傍と、第一領域Ｓ１及び第二領域Ｓ２の一部と、を支持して、コンピュータを安定して支持することができる。
【００４３】
図３（ｄ）は、右手で縦向きのコンピュータを支持した状態である。第一穴部１０に対応して掌の一部が配置されている。また、第一領域Ｓ１の第二穴部２０に対応する位置に人差し指、中指、薬指が配置されており、第二領域Ｓ２の第二穴部２０に対応する位置に親指が配置されている。したがって、支持面２の中心と、第一領域Ｓ１及び第二領域Ｓ２の一部と、を支持して、コンピュータを安定して支持することができる。
【００４４】
以上のように、実施の形態１に係るコンピュータ用ケース１によれば、コンピュータを支持する手や、コンピュータの向きによらず、安定してコンピュータを支持することが可能となる。
【００４５】
＜実施の形態２＞
次いで、実施の形態２に係るコンピュータ用ケース１Ａを図４に基づいて説明する。図４は、実施の形態２に係るコンピュータ用ケース１Ａにコンピュータ１００を収容した状態を示している。（ａ）は正面図であり、（ｂ）は背面図である。実施の形態１に係るコンピュータ用ケース１の第二穴部２０は、同形状であったが、実施の形態２に係るコンピュータ用ケース１Ａの第二穴部は、正  円形の穴部と楕円形の穴部とを有する。更に、実施の形態１に係るコンピュータ用ケース１は、コンピュータの側面と裏面のみを覆うように構成されているが、実施の形態２に係るコンピュータ用ケース１Ａは、コンピュータの側面及び裏面と合わせて表面の一部を覆うように構成されている。なお、実施の形態１と同様の構成については、同符号を用いて説明を省略する。
【００４６】
コンピュータ用ケース１Ａは、上面部３と、下面部４と、左面部５と、右面部６と、支持面２と、コンピュータの表面の一部を覆う前面部７と、を有している。前面部７は、コンピュータ１００の表示部１０１を視認させるための開口部７ａが形成されている。開口部７ａは、表示部１０１の周囲を覆うように配置されている。このように、前面部７を設けることにより、コンピュータ１００を前面部７と支持面２とによって挟んで支持することができるため、コンピュータ用ケース１Ａからコンピュータが落下することを防ぐことができる。
【００４７】
また、第二穴部は、径の長さが一定の正円形穴部２１と、楕円形穴部２２と、を有する。なお、第二穴部の配置は、実施の形態１と同様であるため、説明を省略する。楕円形穴部２２の中心２２ａは、正円形穴部２１の中心２１ａと同心円周上に配置されている。楕円形穴部２２の短軸２２ｂは、正円形穴部２１の直径と同じ１６ｍｍであり、楕円形穴部２２の長軸２２ｃは、第一穴部１０の中心１０ａを通り、かつ第一穴部１０の半径方向に延びる線Ｌ１と重なるように配置されている。楕円形穴部２２の長軸２２ｃは、第一穴部１０の径方向内側に向かって１０ｍｍ延び、かつ第一穴部１０の径方向外側に向かって１０ｍｍ延びており、約３６ｍｍである。
【００４８】
このように、第二穴部を構成することにより、指の長さが異なるユーザであっても、その長さの違いを楕円形状によって吸収することができ、適切に指等を第二穴部に配置させることができ、支持した際の安定感を高めることが可能となる。また、例えば、楕円形穴部内において指を伸縮させることでき、ユーザの持ちやすいスタイルで支持することが可能となる。
【００４９】
次いで、変形例に係るコンピュータ用ケースを、図５を参照して詳細に説明する。図５は、変形例に係るコンピュータ用ケース１Ｂ，１Ｃ，１Ｄ及び１Ｅの背面図である。図５（ａ）に示すコンピュータ用ケース１Ｂは、実施の形態２と異なる楕円形状の第二穴部２３が形成されている。また、図５（ｂ）に示すコンピュータ用ケース１Ｃは、実施の形態１と同形状の第二穴部２０が領域毎に二箇所ずつ形成されている。このような構成に係るコンピュータ用ケースによっても、各領域に形成された第二穴部に指等を適宜配置して、第一穴部に対応する箇所と第二穴部に対応する箇所とを支持し、安定してコンピュータを支持することができる。
【００５０】
図５（ｃ）に示すコンピュータ用ケース１Ｄは、実施の形態１に係るコンピュータ用ケースの第二穴部２０の配置に加えて、Ｘ軸及びＹ軸上にも第二穴部が配置されている。このように第二穴部の数を増やすことにより、支持する際の指の配置パターンを多様化することができる。図５（ｄ）に示すコンピュータ用ケース１Ｅは、第一穴部１０の中心１０ａが、支持面２の原点Ｐ０に対して長辺方向にΔずれている。例えば、収容するコンピュータの重心が、支持面２の原点Ｐ０よりもずれている場合には、第一穴部１０の中心１０ａを重心と合わせるように構成することにより、更に安定性を高めることができる。
【００５１】
以上、本考案の好ましい実施の形態を説明したが、本考案はこれらに限定されるものではなく、これらの組み合わせをも含むものである。更に、本考案の要旨の範囲内で様々な変形や変更が可能である。
【図面の簡単な説明】
【００５２】
【図１】実施の形態１に係るコンピュータ用ケースの斜視図である。
【図２】図１に示すコンピュータ用ケースの背面図である。
【図３】実施の形態１に係るコンピュータ用ケースの使用態様を模式的に示した図である。
【図４】実施の形態２に係るコンピュータ用ケースを示した図である。
【図５】変形例に係るコンピュータ用ケースの背面図である。
【符号の説明】
【００５３】
１，１Ａ…コンピュータ用ケース、  ２…支持面、  ２Ａ…長辺、  ２Ｂ…短辺、  ３…上面部、  ４…下面部、  ５…左面部、  ６…右面部、  １０…第一穴部、  １０ａ…中心、  ２０…第二穴部、  ２０ａ…中心、  ２１…正円形穴部、  ２１ａ…中心、  ２２，２３…楕円形穴部、  ２２ａ…中心、  ３０…開口部、  １００…コンピュータ、  １０１…表示部、  Ｄ１…第一穴部の直径、  Ｄ２…第二穴部の直径、  Ｐ０…原点、  Ｐ１…長辺を二等分割する点、  Ｐ２…短辺を二等分割する点
【図１】
0003169140.tif 000003
【図２】
0003169140.tif 000004
【図３】
0003169140.tif 000005
【図４】
0003169140.tif 000006
【図５】
0003169140.tif 000007